(57)【要約】      （修正有）【課題】所要の吸湿機能が発揮し得るように吸湿剤を収容部内に位置付けておくことができる袋体を提供する。【解決手段】本発明に係る袋体１は、気密性を有する複数の外装フィルム１０を厚み方向に溶着することにより内部に内容物を収容可能に形成される収容部１４と、この収容部１４及び外方を連通し当該収容部１４内へ内容物を挿通し得るともに前記収容部１４に前記内容部を収容した状態で前記外装フィルム１０を溶着することにより前記収容部１４を封止し得る開口部と、前記複数の外装フィルム１０間に当該外装フィルム１０とともに積層されるとともに少なくとも一部が前記外装フィルム１０とともに溶着され且つ他の一部が前記収容部１４内に表出されてなる吸湿フィルム１５とを具備することを特徴とする。【選択図】図１
2015081106.tif 000002
【特許請求の範囲】
【請求項１】
気密性を有する複数の外装フィルムを厚み方向に溶着することにより内部に内容物を収容可能に形成される収容部と、
この収容部及び外方を連通し当該収容部内へ内容物を挿通し得るともに前記収容部に前記内容部を収容した状態で前記外装フィルムを溶着することにより前記収容部を封止し得る開口部と、
前記複数の外装フィルム間に当該外装フィルムとともに積層されるとともに少なくとも一部が前記外装フィルムとともに溶着され且つ他の一部が前記収容部内に表出されてなる吸湿フィルムとを具備することを特徴とする袋体。
【請求項２】
前記吸湿フィルムが、前記開口部に対し対向する位置に位置付けられた底部に位置付けられている請求項１記載の袋体。
【請求項３】
前記外装フィルムが遮光性を有している請求項１又は２記載の袋体。
【請求項４】
前記吸湿フィルムの３辺が前記外装フィルムとともに溶着されるとともに、１辺が前記収容部内に開放されている請求項１、２又は３記載の袋体。
【請求項５】
前記内容物が、シアノアクリレートを含んでなる接着剤を密閉した容器である請求項１、２、３又は４記載の袋体。
【請求項６】
前記外装材が遮光性を有するものであり、
前記接着剤がフォトクロミック化合物を含んでなる請求項５記載の袋体。
【請求項７】
前記フォトクロミック化合物が特定の波長を有する紫外光が照射されると発色し自然条件下の光が照射されると無色となるものであるとともに前記接着剤が自然条件下の光が照射されると発色状態から消色状態となるものであり、
前記内容物が発色状態で収容部に収容されている請求項６記載の袋体。
【請求項８】
気密性を有する複数の外装フィルム間に吸湿フィルムを挟み込んだ状態で外装フィルム及び吸湿フィルムを厚み方向に溶着することにより、前記外装フィルム間に前記吸湿フィルムの一部が表出した状態で内容物を収容し得る収容部と、この収容部及び外方を連通し当該収容部内へ内容物を挿通し得るともに前記収容部に前記内容部を収容した状態で前記外装フィルムを溶着することにより前記収容部を封止し得る開口部とを形成することを特徴とする袋体の製造方法。
【請求項９】
前記複数の前記収容部を形成し得る前記外装フィルム及び前記吸湿フィルムからなる原シートを溶着することにより、前記開口部を互いに背反する位置に位置付けた状態で配置するとともに、これら背反する開口部間に吸湿フィルムを配置した状態で前記開口部に対向する位置に位置付けられ互いにつき合わされた複数の底部に前記吸湿フィルムを位置付け、これら底部同士を切り離すことにより複数の袋体を形成する請求項８記載の袋体の製造方法。
【発明の詳細な説明】
【技術分野】
【０００１】
本発明は、内容物を密閉した状態で流通させるための袋体及びその製造方法に関するものである。
【背景技術】
【０００２】
従来、気密性を有する少なくとも二枚のフィルムを厚み方向に重層し、その縁部を溶着することにより、内部に食品や医薬、さらには液体が注入された容器を密閉した状態で収容するための袋体が種々提案されている(例えば、特許文献１及び特許文献２参照)。そしてこれら袋体に関しては特許文献１記載のもののように、例えば通気性を有した内袋や吸湿剤を予め収容させることにより、付加的な機能を付与したものも多く提案されている。また特許文献２には、外装フィルム間に相互に噛み合い可能なチャックを挟み込んだ状態で縁部を溶着することにより、前記チャックを開閉することで内容物を再び密閉可能に収納し得る袋体が提案されている。
【０００３】
ここで、上記特許文献１のような新たな機能を付加するための機能性素材である前記内袋や吸湿剤は、例えば製造時や出荷等の輸送時では、運搬中の振動等により所望の位置に位置付けることができないといった不具合を招来し得る。特に特許文献２に記載のような噛み合い可能なチャックを具備する袋体に上記機能性素材を適用する場合は、繰り返しの使用に際し、当該機能性素材を脱落させてしまうという不具合も考えられる。さらに機能性素材としての吸湿剤に限って云えば、吸湿剤を内部の所定の位置付けられなかった場合は、吸湿剤本来の吸湿機能が十分に発揮されないという不具合が起こり得る。
【先行技術文献】
【特許文献】
【０００４】
【特許文献１】実開昭６１―７４５７０号公報
【特許文献２】実開昭６３−１２８９４８号公報
【発明の概要】
【発明が解決しようとする課題】
【０００５】
本発明は、このような不具合に着目したものであり、所要の吸湿機能が発揮し得るように吸湿剤を収容部内に位置付けておくことができる袋体を提供することを目的としている。
【課題を解決するための手段】
【０００６】
本発明は、このような目的を達成するために、次のような手段を講じたものである。
【０００７】
すなわち本発明に係る袋体は、気密性を有する複数の外装フィルムを厚み方向に溶着することにより内部に内容物を収容可能に形成される収容部と、この収容部及び外方を連通し当該収容部内へ内容物を挿通し得るともに前記収容部に前記内容部を収容した状態で前記外装フィルムを溶着することにより前記収容部を封止し得る開口部と、前記複数の外装フィルム間に当該外装フィルムとともに積層されるとともに少なくとも一部が前記外装フィルムとともに溶着され且つ他の一部が前記収容部内に表出されてなる吸湿フィルムとを具備することを特徴とする。
【０００８】
このようなものであれば、吸湿フィルムの一部が外装フィルムに溶着された状態で位置付けておくことができる。つまり、吸湿フィルムを収容部内の所要の位置に位置付けておくことにより、吸湿フィルム自体の所要の機能を好適に発揮させることができる。その結果、内容物を収容部内で好適に保管し得る袋体を提供することができる。
【０００９】
吸湿フィルムが収容部内で安定して所要の機能を発揮し得る具体的な位置の一例として、前記開口部に対し対向する位置に位置付けられた底部に位置付けられている態様を挙げることができる。
【００１０】
また、内容物をより安定して保持し得る態様として、前記外装フィルムが遮光性を有している態様を挙げることができる。
【００１１】
そして吸湿フィルムを安定して位置付けておくことができる具体的な態様として、吸湿フィルムの３辺が前記外装フィルムとともに溶着されるとともに、１辺が前記収容部内に開放されている態様を挙げることができる。
【００１２】
吸湿フィルムによって内容物の品質が好適に維持され得る態様として、前記内容物が、シアノアクリレートを含んでなる接着剤を密閉した容器である態様を挙げることができる。
【００１３】
また、前記外装材が遮光性を有するものである場合、前記接着剤がフォトクロミック化合物を含んでなるものであれば、光による内容物の色の変化を有効に抑制することができる。
【００１４】
接着剤がフォトクロミック化合物を含んでなる具体的な態様として、前記フォトクロミック化合物が特定の波長を有する紫外光が照射されると発色し自然条件下の光が照射されると無色となるものであるとともに前記内容物が自然条件下の光が照射されると発色状態から消色状態となるものであり、前記内容物が発色状態で収容部に収容されている態様を挙げることができる。
【００１５】
そして本発明に係る袋体の製造方法は、気密性を有する複数の外装フィルム間に吸湿フィルムを挟み込んだ状態で外装フィルム及び吸湿フィルムを厚み方向に溶着することにより、前記外装フィルム間に前記吸湿フィルムの一部が表出した状態で内容物を収容し得る収容部と、この収容部及び外方を連通し当該収容部内へ内容物を挿通し得るともに前記収容部に前記内容部を収容した状態で前記外装フィルムを溶着することにより前記収容部を封止し得る開口部とを形成することを特徴とする。
【００１６】
また、複数の袋体をより効率よく製造し得る態様として、前記複数の前記収容部を形成し得る前記外装フィルム及び前記吸湿フィルムからなる原シートを溶着することにより、前記開口部を互いに背反する位置に位置付けた状態で配置するとともに、これら背反する開口部間に吸湿フィルムを配置した状態で前記開口部に対向する位置に位置付けられ互いにつき合わされた複数の底部に前記吸湿フィルムを位置付け、これら底部同士を切り離すことにより複数の袋体を形成する態様を挙げることができる。
【発明の効果】
【００１７】
本発明によれば、所要の吸湿機能が発揮し得るように吸湿剤を収容部内に位置付けておくことができる袋体を提供することができる。
【図面の簡単な説明】
【００１８】
【図１】本発明の一実施形態に係る外観図。
【図２】同実施形態に係る袋体の平面図。
【図３】同実施形態に係る袋体の製造方法を示す平面図。
【図４】同実施形態に係る袋体の断面を示す説明図及びＸ部拡大図。
【図５】同実施形態に係る容器の平面図。
【図６】同実施形態に係る容器の正面図。
【図７】同実施形態に係る作用説明図。
【図８】同実施形態に係る他の作用説明図。
【発明を実施するための形態】
【００１９】
以下、本発明の一実施の形態について図面を参照して説明する。
【００２０】
本実施形態に係る袋体１は、例えば図１に示すように内部に容器２を密閉した状態で収容することにより塗布製品Ｔを構成するものである。そしてこの塗布製品Ｔはミシン目Ａ１を介して同図では４つ連ねた製品セットＴＳの状態として流通し、及び使用される。
【００２１】
ここで、本実施形態に係る袋体１は、気密性を有する複数の外装フィルム１０を厚み方向に溶着することにより内部に内容物たる容器２を収容可能に形成される収容部１４と、この収容部１４及び外方を連通し当該収容部１４内へ容器２を挿通し得るともに前記収容部１４に前記容器２を収容した状態で前記外装フィルム１０を溶着することにより前記収容部１４を封止し得る開口部１２と、前記複数の外装フィルム１０間に当該外装フィルム１０とともに積層されるとともに少なくとも一部が前記外装フィルム１０とともに溶着され且つ他の一部が前記収容部１４内に表出されてなる吸湿フィルム１５とを具備することを特徴とするものである。
【００２２】
以下、袋体１の構成について説明する。
【００２３】
この袋体１は、外装フィルム１０及び吸湿フィルム１５によって構成されてなるもので、上述した収容部１４及び開口部１２と、底部１１と、スリット１９とを有している。
【００２４】
収容部１４は、本実施形態では外装フィルム１０及び吸湿フィルム１５が３辺に亘ってコの字状に溶着されることによって、外装フィルム１０における溶着されていない部分によって袋状に形成されている部分である。本実施形態ではこの収容部１４を矩形状に形成してなるが勿論、円形や多角形状に形成してもよい。
【００２５】
開口部１２は、図３に示すように、収容部１４内と外部とを連通させ得るべく外装フィルム１０の端部において溶着されていない箇所である。当該開口部１２から容器２が挿入されることによって収容部１４内に容器２が収容される。そしてこの開口部１２は塗布製品Ｔ及び製品セットＴＳの製造における最終工程において外装フィルム１０が溶着されることにより、図１及び図２に示す封止部１３となる。
【００２６】
底部１１は、前記開口部１２に対し対向する位置に位置付けられている。本実施形態ではこの底部１１に吸湿フィルム１５が位置付けられている。そしてこの底部１１において前記吸湿フィルム１５の３辺が前記外装フィルム１０とともに溶着されるとともに、１辺である表出端１５ａが前記収容部１４内に開放されている。
【００２７】
スリット１９は、使用時に容易に収容部１４から容器２を取り出し得るように外装フィルム１０縁部から溶着部分のみに形成した切り込みである。本実施形態では底部１１中央にスリット１９を設けているため、外装フィルム１０及び吸湿フィルム１５に対して当該スリット１９が形成されていることになる。
【００２８】
続いて、袋体１を構成する外装フィルム１０及び吸湿フィルム１５について図４を用いて説明する。
【００２９】
外装フィルム１０は、本実施形態では気密性を有するとともに遮光性をも有する。具体的に説明するとこの外装フィルム１０は３層構造をなしている。すなわちこの外装フィルム１０は外側から、外部の衝撃等から収容部１４内の容器２を保護し且つ印刷適性及び酸素及び湿気等に対するバリヤー性をも付与し得るポリエチレンテレフタレートやナイロン等の素材からなる保護層１６と、遮光性及び酸素及び湿気等に対するバリヤー性を有するアルミ箔からなるアルミ層１７と、収容部１４内に表出する気密性を担保し且つ安定して熱溶着されるための熱溶着層であるポリエチレンからなるＰＥ層１８とを有している。
【００３０】
吸湿フィルム１５は、本実施形態では樹脂及び無機物等からなり吸湿性を有するフィルムを適用することにより、外装フィルム１０、具体的にはポリエチレンに対し熱溶着し得るものとなっている。本実施形態では吸湿フィルム１５の一例として、佐々木薬品工業株式会社製の「ドライキープ」（登録商標）を適用している。
【００３１】
しかして本実施形態に係る袋体１は図４に示すように、容器２を収容部１４内に収容しているとき、容器２の一部、具体的には容器２の後述する頭部２２先端に形成した被挟持突起２８を底部１１に位置付け、外装フィルム１０及び吸湿フィルム１５間に挟持されるように容器２を配置している。具体的には、本実施形態ではＰＥ層１８よりも表面の摩擦係数が高い吸湿フィルム１５に被挟持突起２８が押圧された状態となっている。これにより輸送運搬中の容器２の不要な位置ずれを有効に抑制している。また、容器２と吸湿フィルム１５との摩擦による係り合いをより強くすべく、図６下方に部分的に示すように引っ掛け端２９ａを具備する被挟持突起２９を適用してもよい。
【００３２】
そして本実施形態では、上述した通り、外装フィルム１０及び吸湿フィルム１５に対して当該スリット１９が形成されている。すなわち袋体１において引き裂き抵抗が大きい箇所にスリット１９を設けることにより、不意にスリット１９から外装フィルム１０が避けてしまう事を有効に回避している。また使用者がスリット１９を引き裂く際には引き裂きの先端箇所が吸湿フィルム１５が重層されている箇所から外装フィルム１０のみとなる箇所へ移行する。このとき引き裂き抵抗が低くなるため、外装フィルム１０は封止部１３へ向けて勢いよく引き裂かれる。その結果、使用者は意図せずとも袋体１を大きく引き裂く事が出来、容易に容器２を取り出すことができる。
【００３３】
しかして本実施形態に係る袋体１の製造方法は、気密性を有する複数の外装フィルム１０間に吸湿フィルム１５を挟み込んだ状態で外装フィルム１０及び吸湿フィルム１５を厚み方向に溶着することにより、前記外装フィルム１０間に前記吸湿フィルム１５の一部が表出した状態で容器２を収容し得る収容部１４と、この収容部１４及び外方を連通し当該収容部１４内へ容器２を挿通し得るともに前記収容部１４に前記容器２を収容した状態で前記外装フィルム１０を溶着することにより前記収容部１４を封止し得る開口部１２とを形成するようにしている。
【００３４】
具体的に説明すると、図３に示すように、まず前記複数の前記収容部１４を形成し得る前記外装フィルム１０及び前記吸湿フィルム１５からなる原シートＡを溶着する工程において、前記開口部１２を互いに背反する位置に位置付けた状態で配置するように、概略Ｈ形状、詳細にはＨの字を複数横に連ねた形状に溶着する。このとき、これら背反する開口部１２同士の中間位置に吸湿フィルム１５を配置した状態で前記開口部１２に対向する位置に位置付けられ互いにつき合わされた複数の底部１１に前記吸湿フィルム１５を位置付けておく。そしてその後、これら底部１１同士を切り離すことにより複数の袋体１を形成するようにしている。具体的には製品セットＴＳを構成し得るよう、４つの袋体１を構成し得るように原シートＡを中央分離部Ａ２に沿って二分する。このとき上記スリット１９も同時に形成している。また前記原シートＡを二分する際にミシン目Ａ１をも同時に形成しても良い。
【００３５】
続いて、上述した袋体１に収容される内容物たる容器２、及びこの容器２に注入されてなる接着剤３について図５〜図８を参照して説明する。
【００３６】
容器２は、同図に示すように、例えば透明又は半透明の樹脂を一体に成形したものであり、内部に塗布物である接着剤３を密閉し得る容器本体２１と、容器本体２１に連続する頭部２２と、これら容器本体２１及び頭部２２を切り離すことにより容器本体２１内の接着剤３を外部に吐出し得るようにするための切り離し部２３を有している。容器本体２１は、使用時に使用者によって持ち易いよう膨出させて形成した膨出部２４と、膨出部２４よりも切り離し部２３側に位置付けたれた筒状のノズル２５とを有している。このノズル２５が図８に示すように、切り離し部２３により頭部２２が切り離されたときに先端に開口を形成し、接着剤３を所要の量だけ正確に塗布し得るようにしている。頭部２２は、切り離し部２３に連続する球状突起２６と、この球状突起２６から延出する延出板２７と、延出板２７の先端側において突出し、上述の通り外装フィルム１０及び吸湿フィルム１５に挟持される前記被挟持突起２８とを有している。
【００３７】
接着剤３は、本実施形態では図７及び図８に示すように、透明ではなく色を呈した状態で容器２当たり、例えば０．２ｍｌ注入され収容される。そして色を呈した接着剤３を注入、密閉された容器２は袋体１に収容されることで、密閉且つ遮光される。
【００３８】
続いて本実施形態に係る塗布物たる接着剤３について説明する。接着剤３は、液状又はゲル状をなすもので、特定の波長を有する紫外光が照射されると発色して例えば赤色を呈し、自然条件下の光が照射されると無色となるフォトクロミック化合物が添加されることにより自然条件下の光が照射されると発色状態から消色状態となるものである。この接着剤３は、一般には「瞬間接着剤３」と称されるものであり、シアノアクリレートを主体とする添加対象物の重量に対し、例えば０．００５〜５．０重量％、好ましくは０．０５〜３．０重量％、より好ましくは０．１〜１．０重量％のフォトクロミック化合物を混合させたものとしている。すなわち本発明に係る塗布製品Ｔの製造時では、このように添加対象物たるシアノアクリレートに対しフォトクロミック化合物を添加する塗布物作成工程を有している。
【００３９】
そしてこのフォトクロミック化合物は、本実施形態では、例えば波長３６５ｎｍの紫外光が照射されると発色し自然条件下の光が照射されると無色となるジアリールエテン系のフォトクロミック化合物を適用している。しかし勿論、前記の紫外光は、当該フォトクロミック化合物や本実施形態に用い得る他のフォトクロミック化合物が発色し得る波長の光であれば良く、斯かる紫外光の波長は前記の３６５ｎｍに限定されることはない。本実施形態では具体的には当該ジアリールエテン系のフォトクロミック化合物の一例として、１，２−ビス（２−メチルベンゾ（ｂ）チオフェン−３−イル）ヘキサフルオロシクロペンテン（1,2-Bis(2-methylbenzo(b)thiophen-3-yl)hexafluorocyclopentene）を使用している。しかし勿論、「紫外光が照射されると発色し自然条件下の光が照射されると無色となる」という特性を満たすジアリールエテン系のフォトクロミック化合物であれば、既存のものであっても、また勿論今後発見されるものであっても有効に適用し得る。また勿論、当該フォトクロミック化合物はジアリールエテン系のものの他、スピロピラン系のフォトクロミック化合物であっても良く、これらの化合物が混合されたものであっても良い。
【００４０】
本実施形態に係る接着剤３を構成するジアリールエテン系のフォトクロミック化合物である１，２−ビス（２−メチルベンゾ（ｂ）チオフェン−３−イル）ヘキサフルオロシクロペンテンとは、発色する閉環反応時に示される反応量子収率、並びに、無色となる開環反応時に示される反応量子収率が、ともに０．３５という既存のものに比べて高い値を示すものである。特に既存のジアリールエテン系のフォトクロミック化合物に比べて、可視光の照射による開環反応時に示される反応量子収率が著しく高いという特性を有している。これにより、例えば太陽光であれば紫外光を５〜６％含むような自然条件下の光が照射された場合であっても、開環反応が優先して進むことにより無色となる。よって勿論、当該１，２−ビス（２−メチルベンゾ（ｂ）チオフェン−３−イル）ヘキサフルオロシクロペンテンを含む接着剤３は、それに応じて消色状態となる。ただし、季節や場所によっては、太陽光の紫外光と可視光とのバランスが変わることがあり、このバランスにより、接着剤３はわずかに有色を呈することがある。また接着剤３は一旦消色状態となっても、ごく僅かに有色を呈することもある。この場合には、完全に無色ではないが、接着剤３の転写すなわち塗布物の塗布時に呈していた発色状態と比べると、かなり無色に近い状態である。このような場合は勿論想定され得る事項である。さらに本実施形態に係る接着剤３は、上述したフォトクロミック化合物に加えて、紫外線吸収剤を、例えば１０重量％程度含むものとしている。これにより、自然条件下の光が照射された場合であればその光に含まれる紫外光が紫外線吸収剤に吸収されるので、フォトクロミック化合物に対しては可視光がより作用し易い状態となり、速やかに消色状態となる。またこの紫外線吸収剤の具体的なものとしては一例として、シプロ化成株式会社の製品である「ＳＥＥＳＯＲＢ  １０１（2-Hydroxy-4-methoxybenzophenone）」、「ＳＥＥＳＯＲＢ  １０２（2-Hydroxy-4-n-octyloxybenzophenone）」及び「ＳＥＥＳＯＲＢ  ７０１（2-(2-Hydroxy-5-methylphenyl)benzotriazole）」を挙げることができる。
【００４１】
そしてこの接着剤３は容器２に注入されるに先立ち、３６５ｎｍの波長を有する紫外光を所定の強さ並びに所定時間照射されることにより、予め発色状態とされる。すなわち塗布製品Ｔの製造方法は、接着剤３を図７に示すような状態となるよう容器２内に収容するに先立ち、接着剤３に紫外光を照射して発色状態としておく照射工程を有している。
【００４２】
以上のような構成とすることにより、本実施形態に係る袋体１は、固形ではなくシート状の吸湿フィルム１５の適用により袋体１自体の小型軽量化が実現されるのみならず、吸湿フィルム１５の一部が外装フィルム１０に溶着された状態で位置付けておくことで、吸湿フィルム１５が輸送中にずれたり容器２に干渉して不要に変形したりすることが回避され、吸湿フィルム１５自体の所要の機能を好適に発揮せしめている。その結果、容器２を収容部１４内で好適に保管し得る袋体１の提供に寄与している。
【００４３】
特に本実施形態では容器２を取り出した後も吸湿フィルムは外装フィルム１０に溶着されて一体となっているので、従前使用されてきたような打錠等により整形された固形の吸湿剤が開封時に独立してこぼれ出ることが無い。つまり本実施形態ではこぼれ出た固形の吸湿剤が誤飲等の意図しない事態を招来することをも有効に回避せしめている。
【００４４】
吸湿フィルム１５が収容部１４内で安定して所要の機能を発揮し得るように本実施形態では、開口部１２の反対側に位置する底部１１に吸湿フィルム１５を位置付けている。すなわち開口部１２から吸湿フィルム１５が遠ざかることにより、塗布製品Ｔの製造工程における容器２の挿入を容易にするとともに挿入時に吸湿フィルム１５が外気に触れる等により吸湿してしまうというリスクも有効に低減せしめている。また、容器２の挿入後は容器２は吸湿フィルム１５及び外装フィルムに挟持押圧された状態となっているので、容器２挿入後、開口部１２が封止されるまでに容器２が脱落してしまうリスクをも有効に低減せしめている。
【００４５】
また、容器２、具体的には容器２内の接着剤３を発色状態で安定して保持し得るよう、本実施形態は前記外装フィルム１０として遮光性を有するものを適用している。
【００４６】
そして吸湿フィルム１５を安定して位置付けておくことができるように本実施形態では、吸湿フィルム１５の３辺が前記外装フィルム１０とともに溶着しておき、残りの１辺の表出端１５ａが前記収容部１４内に開放されている態様を適用している。
【００４７】
また本実施形態では前記吸湿フィルム１５によって、内容物の品質、換言すればシアノアクリレートを含んでなる接着剤３の状態が容器２内で好適に維持され得るようになっている。
【００４８】
また本実施形態では、前記接着剤３がフォトクロミック化合物を含んでなるものとしているが、前記袋体１、具体的には外装フィルム１０が遮光性を有しているので光による容器２内の接着剤３への影響を有効に抑制せしめている。
【００４９】
特に本実施形態では、前記フォトクロミック化合物が特定の波長を有する紫外光が照射されると発色し自然条件下の光が照射されると無色となるものであるとともに前記接着剤が自然条件下の光が照射されると発色状態から消色状態となるものであり、前記接着剤が発色状態で収容部１４に収容されているが、袋体１により遮光されているので発色状態が好適に維持されている。
【００５０】
そして本発明に係る袋体１の製造方法によれば、互いにつき合わされた複数の底部１１に前記吸湿フィルム１５を位置付け、これら底部１１同士を切り離すことにより複数の袋体１を形成することにより、効率良い袋体１の製造を可能としている。
【００５１】
以上、本発明の実施形態について説明したが、各部の具体的な構成は、上述した実施形態のみに限定されるものではなく、本発明の趣旨を逸脱しない範囲で種々変形が可能である。
【００５２】
例えば、上記実施形態では内容物として接着剤を密閉した容器を適用した態様を開示したが、勿論、食品や薬品を収容したものであってもよい。そして容器における特に被挟持突起の形状は図示の態様に限られず、概略立方体形状や表面に細かな凹凸を施した形状等、種々の形状を適用し得る。また収容部の寸法や形状と、外装フィルムや吸湿フィルムの厚みや形状といった具体的な態様は上記実施形態のものに限定されることはなく、既存のものを含め、種々の態様のものを適用することができる。
【００５３】
その他、各部の具体的構成についても上記実施形態に限られるものではなく、本発明の趣旨を逸脱しない範囲で種々変形が可能である。
【産業上の利用可能性】
【００５４】
本発明は内容物を密閉した状態で流通させるための袋体及びその製造方法として利用することができる。
【符号の説明】
【００５５】
１…袋体
１０…外装フィルム
１２…開口部
１４…収容部
１５…吸湿フィルム
２…内容物（容器）
【図１】
2015081106.tif 000003
【図２】
2015081106.tif 000004
【図３】
2015081106.tif 000005
【図４】
2015081106.tif 000006
【図５】
2015081106.tif 000007
【図６】
2015081106.tif 000008
【図７】
2015081106.tif 000009
【図８】
2015081106.tif 000010